(57)【要約】【課題】  従来の液晶表示装置の反射型においては、外部が暗くなると光が弱いため、視認性が悪く、また、半透過型においては、ＥＬ２９からの光が反射部材２９を通過するため、光が減衰して、液晶セル２１への照光効率が悪く、表示が見にくいものであった。【解決手段】  本発明の液晶表示装置は、液晶セル１の裏面、又は内側に反射部材６を配設すると共に、液晶セル１の正面に、平滑面８ｅを液晶セル１側に位置させた状態で導光板８を配設したものであるため、外周が明るい時は外光によって液晶セル１の表示を見ることが出来、また、外周が暗くなると、光源９からの光を、正面の導光板８を通して反射部材６に当てるため、光が従来に比して減衰することがなく、表示の見やすい装置を提供できる。【選択図】図１
2006330764.tif 000002
【特許請求の範囲】
【請求項１】
液晶セルと、一方の面に微細な凹凸部を有し、他方の面を平滑面にした導光板と、該導光板の近傍に配設された冷陰極管等から成る光源と、反射部材とを備え、前記液晶セルの正面に、前記平滑面が前記液晶セル側に位置させた状態で前記導光板を配置すると共に、前記液晶セルの裏面、又は内側に、前記反射部材を配置させたことを特徴とする液晶表示装置。
【請求項２】
前記光源が前記導光板の側部に配設され、前記導光板の前記凹凸部が前記側部から１〜１００ミクロンのピッチで形成されたことを特徴とする請求項１記載の液晶表示装置。
【請求項３】
前記凹凸部を構成する凸部を、前記側部と略平行な線に沿って設けられた三角状の山形形状で形成したことを特徴とする請求項２記載の液晶表示装置。
【請求項４】
前記凹凸部を構成する凸部を、前記側部と略平行な線上に設けられた楕円状の複数個の山形形状で形成したことを特徴とする請求項２記載の液晶表示装置。
【請求項５】
前記楕円状の山形形状の凸部は、前記側部と略平行な線上に前記凸部の長軸を位置させて形成し、一つの前記凸部の前記長軸の長さを１〜１００ミクロンとしたことを特徴とする請求項４記載の液晶表示装置。
【請求項６】
前記凹凸部の間に平坦部を設けたことを特徴とする請求項２、又は３、又は４、又は５記載の液晶表示装置。
【発明の詳細な説明】
【技術分野】
【０００１】
本発明はテレビジョン、自動車、玩具等の表示に使用される液晶表示装置に関する。
【背景技術】
【０００２】
従来の液晶表示装置は、反射型、半透過型、或いは透過型の３種類のタイプが存在する。
【０００３】
そして、従来の反射型の液晶表示装置は、図８に示すように、液晶セル２１が、上下二枚の矩形状のガラスから成る絶縁基板２２と２３との間に液晶（図示せず）を封入し、上下の絶縁基板２２と２３に偏光板２４、２５を貼着して構成されている。
【０００４】
そして、フイルム状の透明樹脂材料の一面に銀層の反射部２６ａを設けた反射部材２６を、液晶セル２１の裏面に配設すると共に、この反射部材２６の裏面にフイルム状のプラスチックから成る保護部材２７を配設した構成となっている。
【０００５】
そして、このような反射型の液晶表示装置は、液晶セル２１の正面である観測者が観測する面から外光が液晶セル２１に入り、この外光が反射部材２６によって反射されて、液晶セル２１の表示を観測するようになっている。
【０００６】
そして、この反射型においては、外部が暗くなると光が弱いため、視認性が悪いものであった。
【０００７】
また、従来の半透過型の液晶表示装置は、図９に示すように、液晶セル２１が、上下二枚の矩形状のガラスから成る絶縁基板２２と２３との間に液晶（図示せず）を封入し、上下の絶縁基板２２と２３に偏光板２４、２５を貼着して構成されている。
【０００８】
そして、下部の偏光板２５の裏面には、銀蒸着から成り、光を透過することが出来ると共に光を反射できる反射部材２８を設け、且つ、この反射部材２８に裏面には、光源であるＥＬ（エレクトロルミネッセンス）２９を配設した構成となっている。
【０００９】
そして、このような半透過型の液晶表示装置は、先ず、外周が明るい内は、液晶セル２１の正面である観測者が観測する面から外光が液晶セル２１に入り、この外光が反射部材２８によって反射されて、液晶セル２１の表示を観測するようになっている。
【００１０】
そして、外周が暗くなると、ＥＬ２９を点灯し、このＥＬ２９の光が反射部材２８を通して液晶セル２１の表示を観測するようになっている。
【００１１】
そして、この半透過型においては、ＥＬ２９からの光が反射部材２９を通過するため、光が減衰して、液晶セル２１への照光効率が悪く、表示が見にくいものであった。
【００１２】
また、従来の透過型の液晶表示装置は、図１０に示すように、液晶セル２１が、上下二枚の矩形状のガラスから成る絶縁基板２２と２３との間に液晶（図示せず）を封入し、上下の絶縁基板２２と２３に偏光板２４、２５を貼着して構成されている。
【００１３】
そして、一面に３００ミクロン程度のピッチで凹凸部を有し、アクリル等の透明樹脂材料から成る導光板３０が、下部の偏光板２５の裏面に凹凸部を位置させて配設され、冷陰極管等から成る光源３１で、導光板３０に光を当てる構成となっている。
【００１４】
そして、このような透過型の液晶表示装置は、常時光源３１を点灯して光を導光板３０に導き、導光板３０の凹凸部で光を液晶セル２１に通し、液晶セル２１の正面である観測者が観測する面から液晶セル２１の表示を観測するようになっている。
【００１５】
そして、この透過型においては、導光板３０からの光が観測者に直接、目に入り、ギラギラした状態となり、表示が見にくくなる。
【００１６】
また、導光板３０に設けられた凹凸部は、３００ミクロン程度の大きなピッチであるため、観測者が表示を観測する時、この凹凸部が見え、品質を悪くするものであった。
【発明の開示】
【発明が解決しようとする課題】
【００１７】
即ち、従来の液晶表示装置の反射型においては、外部が暗くなると光が弱いため、視認性が悪く、また、半透過型においては、ＥＬ２９からの光が反射部材２９を通過するため、光が減衰して、液晶セル２１への照光効率が悪く、表示が見にくいものであった。
【００１８】
また、透過型においては、導光板３０からの光が観測者に直接、目に入り、ギラギラした状態となり、表示が見にくくなる上に、導光板３０に設けられた凹凸部は、３００ミクロン程度の大きなピッチであるため、観測者が表示を観測する時、この凹凸部が見え、品質を悪くするものであった。
【課題を解決するための手段】
【００１９】
上記課題を解決するための第１の解決手段として、液晶セルと、一方の面に微細な凹凸部を有し、他方の面を平滑面にした導光板と、該導光板の近傍に配設された冷陰極管等から成る光源と、反射部材とを備え、前記液晶セルの正面に、前記平滑面が前記液晶セル側に位置させた状態で前記導光板を配置すると共に、前記液晶セルの裏面に、前記反射部材を配置させた構成とした。
【００２０】
また、第２の解決手段として、前記光源が前記導光板の側部に配設され、前記導光板の前記凹凸部が前記側部から１〜１００ミクロンのピッチで形成された構成とした。
【００２１】
また、第３の解決手段として、前記凹凸部を構成する凸部を、前記側部と略平行な線に沿って設けられた三角状の山形形状で形成した構成とした。
【００２２】
また、第４の解決手段として、前記凹凸部を構成する凸部を、前記側部と略平行な線上に設けられた楕円状の複数個の山形形状で形成した構成とした。
【００２３】
また、第５の解決手段として、前記楕円状の山形形状の凸部は、前記側部と略平行な線上に前記凸部の長軸を位置させて形成し、一つの前記凸部の前記長軸の長さを１〜１００ミクロンとした構成とした。
また、第６の解決手段として、前記凹凸部の間に平坦部を設けた構成とした。
【発明の効果】
【００２４】
本発明の液晶表示装置は、液晶セル１の裏面、又は内側に反射部材６を配設すると共に、液晶セル１の正面に、平滑面８ｅを液晶セル１側に位置させた状態で導光板８を配設したものであるため、外周が明るい時は外光によって液晶セル１の表示を見ることが出来、また、外周が暗くなると、光源９からの光を、正面の導光板８を通して反射部材６に当てるため、光が従来に比して減衰することがなく、表示の見やすい装置を提供できる。
【００２５】
また、導光板８を正面に配設したため、導光板８から出た極めて明るい光は、反射部材６側に導出されるため、観測側である正面では、ギラギラ感の無い状態で表示を見ることが出来る装置を提供できる。
【００２６】
また、導光板８の凹凸部８ｄが１〜１００ミクロンと小さいピッチＰで形成されているため、正面から凹凸部８ｄが見えなくなり、品質の高い装置を提供できる。
【００２７】
また、導光板８の凹凸部８ｄの凸部８ｂを、側部８ａと略平行な線Ｓに沿って三角状の山形形状に形成したため、光源９からの光を効率よく液晶セル１側に導出できて、表示の見やすい装置を提供できる。
【００２８】
また、導光板１０の凹凸部１０ｄの凸部１０ｂを、側部１０ａと略平行な線Ｓ上に設けられた楕円状の複数個の山形形状で形成したため、光源９からの光をより効率よく液晶セル１側に導出できて、表示の見やすい装置を提供できる。
【００２９】
また、楕円状の凸部１０ｂの長軸Ａを線Ｓ上に位置させると共に、長軸Ａの長さを１〜１００ミクロンにしたため、微細な凸部１０ｂとなり、光源９からの光を一層効率よく液晶セル１側に導出できて、表示の見やすい装置を提供できる。
【００３０】
また、凹凸部８ｄの間に平坦部８ｃを設けたため、液晶セル１の正面からの表示がより鮮明に見やすい装置を提供できる。
【発明を実施するための最良の形態】
【００３１】
本発明の液晶表示装置を図１〜図７に基づいて説明すると、図１は本発明の液晶表示装置の側面図、図２は本発明の液晶表示装置に係る導光板の一部の平面図、図３は本発明の液晶表示装置に係る導光板の一部の側面図、図４は本発明の液晶表示装置に係る導光板の要部の拡大図、図５は本発明の液晶表示装置に係る導光板の他の実施形態の一部の平面図、図６は本発明の液晶表示装置に係る導光板の他の実施形態の一部の断面図、図７は本発明の液晶表示装置に係る導光板の他の実施形態の要部の拡大図である。
【００３２】
そして、本発明の液晶表示装置は、図１〜図４に示すように、液晶セル１が、上下二枚の矩形状のガラスから成る絶縁基板２と３との間に液晶（図示せず）を封入し、上下の絶縁基板２と３に偏光板４、５を貼着して構成されている。
【００３３】
また、反射部材６は、フイルム状の透明樹脂材料の一面に銀層から成る反射部６ａを設けて形成され、この反射部材６は、液晶セル１の裏面に配設されている。
【００３４】
また、反射部材６は、絶縁基板２と３との間に介在させ、液晶セル１の内側に設けても良く、この場合、偏光板５は不要となる。
【００３５】
また、この反射部材６は、図９で示したように、下部の偏光板５の裏面に、銀層から成る反射部を設けて反射部材を形成しても良い。
【００３６】
また、フイルム状のプラスチックから成る保護部材７を有し、この保護部材７が反射部材６の裏面に配設されている。
【００３７】
また、本発明の液晶表示装置は、液晶セル１の正面側に配設された導光板８と、導光板８の近傍に配設された冷陰極管等から成る光源９を備えている。
【００３８】
そして、この導光板８は、図２〜図４に示すように、光源９が配設される側に位置する側部８ａを基準として、その表面には１〜１００ミクロンのピッチＰで、三角状の山形形状の凸部８ｂと平坦部８ｃとから成る凹凸部８ｄが形成され、凹凸部８ｄの反対面は、平らな平滑面８ｅとなっている。
【００３９】
更に、凹凸部８ｄの凸部８ｂは、側部８ａと略平行な線Ｓに沿って形成されると共に、この凸部８ｂの平坦部８ｃからの高さＨは、光源９が配置される側の側部８ａから遠くなるに従って順次高くしてあり、光源９からの距離の遠近による光量バラツキを防止している。
【００４０】
更に、三角状の山形形状の凸部８ｂは、図４に示すように、凸部８ｂの頂点における導光板８の平滑面８ｅと平行な線Ｔと凸部８ｂの傾斜とでなす角Ｋ１、Ｋ２において、光源９側の角Ｋ１が２．５〜８度、光源９から遠い角Ｋ２が４０〜５０度に形成して、導光板８からの光の液晶セル１への導出を良くしている。
【００４１】
そして、この導光板８は、平滑面８ｅを液晶セル１側に位置させた状態で配設された構成となっている。
【００４２】
そして、このような構成の液晶表示装置は、先ず、外周が明るい内は、導光板８を通して液晶セル１の正面である観測者が観測する面から外光が液晶セル１に入り、この外光が反射部材６によって反射されて、導光板８を通して液晶セル１の表示を観測するようになっている。
【００４３】
そして、外周が暗くなると、光源９を点灯し、この光源９の光を導光板８の凹凸部８ｄで液晶セル１側に導出し、この光を反射部材６で反射させ、導光板８を通して液晶セル１の表示を観測するようになっている。
【００４４】
このように、導光板８から出た極めて明るい光は、反射部材６側に導出されるため、観測側である正面では、ギラギラ感の無い状態で表示を見ることが出来る。
【００４５】
また、導光板８の凹凸部８ｄの間に平坦部８ｃを設けることにより、平坦部８ｃを通して正面からの表示がより見やすくなる。
【００４６】
また、図５〜図７は本発明の液晶表示装置の導光板の他の実施形態を示し、この導光板１０は、光源９が配設される側に位置する側部１０ａを基準として、その表面には１〜１００ミクロンのピッチＰで、楕円状の山形形状の凸部１０ｂと平坦部１０ｃとから成る凹凸部１０ｄが形成され、裏面には平らな平滑面１０ｅが形成されている。
【００４７】
更に、凹凸部１０ｄの凸部１０ｂは、側部１０ａと略平行な線Ｓ上に設けられた複数個の山形形状で形成されると共に、この凸部１０ｂの平坦部１０ｃからの高さＨは、光源９が配置される側の側部１０ａから遠くなるに従って順次高くしてある。
【００４８】
更に、楕円状の山形形状の凸部１０ｂは、図７に示すように、楕円状の凸部１０ｂの長軸Ａが前記線Ｓ上に位置すると共に、この一つの凸部１０ｂの長軸Ａの長さを１〜１００ミクロンとし、また、凸部１０ｂの長軸Ａと直交する短軸Ｂと長軸Ａとの関係をＡ＞Ｂとしてある。
【００４９】
そして、この導光板１０は、前記実施例と同様に、平滑面１０ｅを液晶セル１側に位置させた状態で配設された構成となっている。
【００５０】
そして、楕円状の凸部１０ｂを有する凹凸部１０ｄを設けるとにより、導光板１０からの光を一層効率よく液晶セル１側に導出できるものである。
【図面の簡単な説明】
【００５１】
【図１】本発明の液晶表示装置の側面図。
【図２】本発明の液晶表示装置に係る導光板の一部の平面図。
【図３】本発明の液晶表示装置に係る導光板の一部の側面図。
【図４】本発明の液晶表示装置に係る導光板の要部の拡大図。
【図５】本発明の液晶表示装置に係る導光板の他の実施形態の一部の平面図。
【図６】本発明の液晶表示装置に係る導光板の他の実施形態の一部の断面図。
【図７】本発明の液晶表示装置に係る導光板の他の実施形態の要部の拡大図。
【図８】従来の反射型の液晶表示装置の側面図。
【図９】従来の半透過型の液晶表示装置の側面図。
【図１０】従来の透過型の液晶表示装置の側面図。
【符号の説明】
【００５２】
１  液晶セル
２、３  絶縁基板
４、５  偏光板
６  反射部材
６ａ  反射部
７  保護部材
８  導光板
８ａ  側部
８ｂ  凸部
８ｃ  平坦部
８ｄ  凹凸部
８ｅ  平滑面
９  光源
１０  導光板
１０ａ  側部
１０ｂ  凸部
１０ｃ  平坦部
１０ｄ  凹凸部
１０ｅ  平滑面
【図１】
2006330764.tif 000003
【図２】
2006330764.tif 000004
【図３】
2006330764.tif 000005
【図４】
2006330764.tif 000006
【図５】
2006330764.tif 000007
【図６】
2006330764.tif 000008
【図７】
2006330764.tif 000009
【図８】
2006330764.tif 000010
【図９】
2006330764.tif 000011
【図１０】
2006330764.tif 000012